(57)【特許請求の範囲】
【請求項１】
樹脂成形されたケーシングと、
前記ケーシング内に設けられ、レーザビームを出射する光源部と、
前記ケーシング内において、前記光源部に対して前記レーザビームの出射方向下流側に配置され、前記レーザビームを偏向および走査させる偏向器とを備え、
前記偏向器は、
前記レーザビームを反射する回転多面鏡と、
前記回転多面鏡を回転させる駆動源と、
前記回転多面鏡および前記駆動源を支持し、前記ケーシングに固定される基板部材とを備え、
前記ケーシングは、
前記回転多面鏡の鏡面に対して直交する方向に延びる固定壁と、
前記固定壁に設けられ、前記光源部を固定する第１固定部と、
前記固定壁に設けられ、前記基板部材を固定する第２固定部と、
前記固定壁に設けられ、前記第１固定部と前記第２固定部とを連続的に接続するように、前記出射方向に向かって延びる補強部とを備えていることを特徴とする、光走査装置。
【請求項２】
前記補強部は、前記レーザビームの走査範囲における、前記レーザビームの走査方向中央を通過するレーザビームに対して、９０°未満の角度で傾斜するように延びていることを特徴とする、請求項１に記載の光走査装置。
【請求項３】
前記第２固定部は、複数設けられており、
前記補強部は、前記光源部から最も離れて配置される前記第２固定部と、前記第１固定部とを連続的に接続することを特徴とする、請求項１または２に記載の光走査装置。
【請求項４】
前記ケーシングは、前記偏向器を挟んで前記光源部の反対側に設けられ、前記固定壁から垂直に延びる側壁を備え、
前記補強部は、前記第２固定部と前記側壁とを連続的に接続することを特徴とする、請求項１ないし３のいずれか一項に記載の光走査装置。
【請求項５】
前記固定壁が延びる方向と直交する方向に前記補強部を投影したときに、前記補強部は、前記回転多面鏡を横切るように延びていることを特徴とする、請求項１ないし４のいずれか一項に記載の光走査装置。
【請求項６】
前記第２固定部は、複数設けられており、
前記固定壁が延びる方向と直交する方向に前記補強部を投影したときに、前記補強部は、前記固定壁が延びる方向において前記回転多面鏡と前記光源部との間の前記レーザビームを挟むように、前記第１固定部と、少なくとも２つの前記第２固定部とを、それぞれ連続的に接続することを特徴とする、請求項１ないし５のいずれか一項に記載の光走査装置。
【請求項７】
前記第２固定部は、複数設けられており、
前記補強部は、少なくとも２つの前記第２固定部間を連続的に接続することを特徴とする、請求項１ないし６のいずれか一項に記載の光走査装置。
【請求項８】
前記第２固定部は、複数、設けられており、
前記補強部は、前記回転多面鏡の前記レーザビームが反射される鏡面に最も近接して配置される前記第２固定部と、前記第１固定部とを接続することを特徴とする、請求項１ないし７のいずれか一項に記載の光走査装置。
【請求項９】
前記補強部は、前記固定壁において、前記偏向器が固定される面と反対側の面に設けられていることを特徴とする、請求項１ないし８のいずれか一項に記載の光走査装置。
【請求項１０】
前記基板部材は、前記回転多面鏡を挟んで前記固定壁の反対側に設けられることを特徴とする、請求項１ないし９のいずれか一項に記載の光走査装置。
【請求項１１】
前記光源部は、
前記レーザビームを出射する半導体レーザと、
前記半導体レーザからのレーザビームを平行な光束に変換するカップリングレンズとを備えていることを特徴とする、請求項１ないし１０のいずれか一項に記載の光走査装置。
【請求項１２】
前記補強部は、前記固定壁から垂直に延びる突条であることを特徴とする、請求項１ないし１１のいずれか一項に記載の光走査装置。
【請求項１３】
前記第２固定部は、前記固定壁から垂直に延びており、
前記基板部材は、前記第２固定部に対してねじ止めされていることを特徴とする、請求項１ないし１２のいずれか一項に記載の光走査装置。
【発明の詳細な説明】
【技術分野】
【０００１】
本発明は、レーザプリンタなどの画像形成装置に用いられる光走査装置に関する。
【背景技術】
【０００２】
電子写真方式のプリンタとして、静電潜像が形成される感光体と、感光体に対して画像データに基づくレーザビームを走査させ、感光体の表面に静電潜像を形成する露光装置とを備えるプリンタが知られている。
【０００３】
このようなプリンタに備えられる露光装置として、例えば、光ビームを出射する光源ユニットと、光源ユニットから出射された光ビームを偏向走査するポリゴンスキャナと、光源ユニットおよびポリゴンスキャナを収容する光学箱とを備える光走査装置が提案されている（たとえば、下記特許文献１参照。）。
【０００４】
この光走査装置では、光源ユニットおよびポリゴンスキャナは、ともに光学箱の底面部に固定されている。また、底面部には、ポリゴンスキャナを囲繞するように、リブが設けられている。
【先行技術文献】
【特許文献】
【０００５】
【特許文献１】特開２００６−２３４９７７号公報
【発明の概要】
【発明が解決しようとする課題】
【０００６】
しかるに、上記した特許文献１に記載の光走査装置では、ポリゴンスキャナがより高速で回転すると、ポリゴンスキャナの回転に起因する振動により、光源ユニットとポリゴンスキャナとの相対的な位置変化を生じさせる共振が起こる場合がある。
【０００７】
光源ユニットとポリゴンスキャナとが共振による相対的な位置変化を起こすと、感光体の表面に入射される光ビームの精度が低下し、ひいては、印刷画像の画質が低下する場合がある。
【０００８】
そこで、本発明の目的は、印刷画像の画質の低下を抑制することができる光走査装置を提供することにある。
【課題を解決するための手段】
【０００９】
上記した目的を達成するため、本発明は、光走査装置であって、樹脂成形されたケーシングと、前記ケーシング内に設けられ、レーザビームを出射する光源部と、前記ケーシング内において、前記光源部に対して前記レーザビームの出射方向下流側に配置され、前記レーザビームを偏向および走査させる偏向器とを備え、前記偏向器は、前記レーザビームを反射する回転多面鏡と、前記回転多面鏡を回転させる駆動源と、前記回転多面鏡および前記駆動源を支持し、前記ケーシングに固定される基板部材とを備え、前記ケーシングは、前記回転多面鏡の鏡面に対して直交する方向に延びる固定壁と、前記固定壁に設けられ、前記光源部を固定する第１固定部と、前記固定壁に設けられ、前記基板部材を固定する第２固定部と、前記固定壁に設けられ、前記第１固定部と前記第２固定部とを連続的に接続するように、前記出射方向に向かって延びる補強部とを備えていることを特徴としている。
【発明の効果】
【００１０】
本発明によれば、ケーシングの固定壁に設けられる第１固定部に、レーザビームを出射する光源部を固定するとともに、ケーシングの固定壁に設けられる第２固定部に、レーザビームを偏向および走査させる偏向器の基板部材を固定し、第１固定部と第２固定部とを連続的に接続するように、ケーシングの固定壁に、レーザビームの出射方向に向かって延びる補強部を設けている。
【００１１】
そのため、光源部と偏向器との間の固定壁を、レーザビームの出射方向に向かって延びる補強部で連続的に接続し、補強することができる。
【００１２】
その結果、偏向器の回転多面鏡の回転に起因する、光源部と偏向器との相対的な位置変化を生じさせる共振を抑制することができ、ひいては、印刷画像の画質の低下を抑制することができる。
【図面の簡単な説明】
【００１３】
【図１】レーザプリンタの中央側断面図である。
【図２】本発明の光走査装置の第１実施形態としてのスキャナユニットを示す断面図である。
【図３】図２に示すスキャナユニットのＡ−Ａ断面図である。
【図４】各実施形態のスキャナユニットのケーシングを説明するための説明図であって、（ａ）は、第２実施形態を示し、（ｂ）は、第３実施形態を示し、（ｃ）は、第４実施形態を示し、（ｄ）は、第５実施形態を示し、（ｅ）は、第６実施形態を示し、（ｆ）は、第７実施形態を示し、（ｇ）は、第８実施形態を示す。
【図５】本発明の光走査装置の第９実施形態としてのスキャナユニットを示す底面図である。
【図６】図５に示すスキャナユニットの側面図である。
【図７】各比較例のスキャナユニットのケーシングを説明するための説明図であって、（ａ）は、比較例１を示し、（ｂ）は、比較例２を示し、（ｃ）は、比較例３を示す。
【発明を実施するための形態】
【００１４】
１．レーザプリンタの全体構成
図１に示すように、レーザプリンタ１は、本体ケーシング２内に、給紙部３および画像形成部４を備えている。
【００１５】
本体ケーシング２の一方側の側壁には、プロセスカートリッジ１０を着脱させるためのフロントカバー５が開閉自在に設けられている。
【００１６】
なお、以下の説明では、フロントカバー５が設けられる側（図１における紙面右側）を前側とし、その反対側（図１における紙面左側）を後側とする。また、レーザプリンタ１を前側から見たときを基準として、左右を規定する。すなわち、図１の紙面手前側が左側であり、紙面奥側が右側である。
（１）給紙部
給紙部３は、用紙Ｐを、積載状態で収容する給紙トレイ６を備えている。給紙トレイ６は、本体ケーシング２内の底部に着脱自在に装着されている。給紙トレイ６の前端部上方には、給紙ローラ７が配置され、その給紙ローラ７の後側にレジストローラ８が配置されている。
【００１７】
給紙トレイ６に収容されている用紙Ｐは、給紙ローラ７の回転により、レジストローラ８に向けて１枚ずつ送り出され、レジストローラ８の回転により、所定のタイミングで、画像形成部４（感光ドラム１４（後述）と転写ローラ１６（後述）との間）に向けて搬送される。
（２）画像形成部
画像形成部４は、光走査装置の一例としてのスキャナユニット９、プロセスカートリッジ１０および定着ユニット１１を備えている。
（２−１）スキャナユニット
スキャナユニット９は、本体ケーシング２内の上部に配置されている。スキャナユニット９は、鎖線で示すように、プロセスカートリッジ１０の感光ドラム１４（後述）に向けて画像データに基づくレーザビームＬを出射し、そのレーザビームＬを、左右方向一方（主走査方向）に高速で移動させて、感光ドラム１４（後述）の表面を走査する。
（２−２）プロセスカートリッジ
プロセスカートリッジ１０は、スキャナユニット９の下方に配置されている。プロセスカートリッジ１０は、ドラムカートリッジ１２と、ドラムカートリッジ１２に着脱自在に装着される現像カートリッジ１３とを備えている。
【００１８】
ドラムカートリッジ１２には、左右方向に延びる略円筒形状の感光ドラム１４が回転自在に設けられている。また、ドラムカートリッジ１２には、感光ドラム１４の周囲において、スコロトロン型帯電器１５および転写ローラ１６が配置されている。
【００１９】
現像カートリッジ１３は、感光ドラム１４の前側に配置されており、現像ローラ１７を備えている。
【００２０】
現像ローラ１７は、現像カートリッジ１３の後端部において、後側から露出されるように回転可能に支持されており、感光ドラム１４を前側から押圧するように、感光ドラム１４に対して前側から対向し、接触されている。
【００２１】
また、現像カートリッジ１３には、現像ローラ１７の前側の空間において、各色に対応するトナーが収容されている。
（２−３）現像・転写動作
現像カートリッジ１３内のトナーは、現像ローラ１７の回転に伴って、現像ローラ１７の表面に担持される。
【００２２】
一方、感光ドラム１４の表面は、感光ドラム１４の回転に伴って、スコロトロン型帯電器１５により一様に帯電された後、スキャナユニット９からのレーザビームＬ（図１破線参照。）の高速走査により露光される。これにより、用紙Ｐに形成すべき画像に対応した静電潜像が感光ドラム１４の表面に形成される。
【００２３】
感光ドラム１４がさらに回転すると、現像ローラ１７の表面に担持されているトナーが、感光ドラム１４の表面に形成されている静電潜像に供給される。これにより、感光ドラム１４の静電潜像は可視像化され、感光ドラム１４の表面には、反転現像によるトナー像が担持される。
【００２４】
そして、トナー像は、感光ドラム１４と転写ローラ１６との間（転写位置）に搬送されてくる用紙Ｐ上に転写される。
（２−４）定着ユニット
定着ユニット１１は、プロセスカートリッジ１０の後方に設けられ、加熱ローラ１８と、加熱ローラ１８に圧接される加圧ローラ１９とを備えている。
【００２５】
用紙Ｐに転写されたトナー像は、用紙Ｐが、加熱ローラ１８と加圧ローラ１９との間を通過するときに、加熱および加圧されることによって用紙Ｐに熱定着される。
（３）排紙
トナー像が定着した用紙Ｐは、排紙ローラ２０に向けて搬送され、排紙ローラ２０によって、本体ケーシング２の上面に形成された排紙トレイ２１上に排紙される。
２．スキャナユニットの詳細
（１）スキャナユニットの構成
スキャナユニット９は、図２および図３に示すように、樹脂製のケーシング３１内において、光源部の一例としての光源３２、第１シリンドリカルレンズ３３、偏向器３４、fθレンズ３５、ミラー３６、第２シリンドリカルレンズ３７を備えている。
【００２６】
ケーシング３１は、後で詳述するが、上下方向の厚みが薄い扁平な略ボックス形状に形成されている。詳しくは、ケーシング３１は、前後左右に延びる固定壁の一例としての下壁４０と、下壁４０の周縁部から上側へ延びる側壁３９と、下壁４０と上下方向に対向し、その周縁部に側壁３９が連結される上壁（図示せず）を備えている。ケーシング３１の下壁４０には、レーザビームＬを感光ドラム１４へ向けて出射するための出射口４４が貫通形成されている。
【００２７】
出射口４４は、ケーシング３１の後端部において、左右方向に延びる平面視略矩形状に形成されている。
【００２８】
光源３２は、ケーシング３１の右端部の前後方向略中央に配置されている。また、光源３２は、光源ホルダ５３、半導体レーザ５１およびカップリングレンズ５２を備えている。
【００２９】
光源ホルダ５３は、前後左右に延びる平面視略矩形平板形状に形成され、その前後方向両端部に１つずつ、光源固定ねじ５４（後述）が挿通される挿通穴（図示せず）が貫通形成されている。
【００３０】
半導体レーザ５１は、光源ホルダ５３の右端部の前後方向略中央に支持されている。半導体レーザ５１は、左側（詳しくは、左前側）へ向かってレーザビームＬを出射する。
【００３１】
カップリングレンズ５２は、半導体レーザ５１に対向するように、光源ホルダ５３の左端部の前後方向略中央に支持されている。カップリングレンズ５２は、半導体レーザ５１から出射されたレーザビームＬを平行な光束に変換する。
【００３２】
第１シリンドリカルレンズ３３は、前後方向（詳しくは、右前側と左後側とを結ぶ方向）に延びる略平板形状に形成され、カップリングレンズ５２と対向するように、光源３２の左側に間隔を隔てて配置されている。第１シリンドリカルレンズ３３は、副走査方向（レーザビームＬの進行方向、および、レーザビームＬの走査方向の両方に直交する方向。以下、同じ。）にのみ屈折力を有している。
【００３３】
偏向器３４は、ケーシング３１の左側前端部において、第１シリンドリカルレンズ３３の左前側に配置されている。偏向器３４は、基板部材の一例としてのモータベースプレート６３と、駆動源の一例としてのモータ６２と、回転多面鏡の一例としてのポリゴンミラー６１とを備えている。
【００３４】
モータベースプレート６３は、前後左右に延びる平面視略矩形平板形状に形成され、モータ６２を支持している。モータベースプレート６３の４つの角には、偏向器固定ねじ６６（後述）が挿通される挿通穴（図示せず）が、１つずつ貫通形成されている。
【００３５】
モータ６２は、上下方向に延びる略円柱形状に形成され、モータベースプレート６３の下面に固定されている。モータ６２は、上下方向に延びる駆動軸６５を回転可能に備えている。
【００３６】
ポリゴンミラー６１は、上下方向に厚みを有する平面視略正六角形の平板形状に形成されている。ポリゴンミラー６１の各辺には、上下方向に延びる鏡面６４が形成されている。ポリゴンミラー６１は、その平面視略中央において、モータ６２の駆動軸６５の下端部に相対回転不能に支持されている。また、ポリゴンミラー６１は、ケーシング３１の下壁４０に対して上下方向に間隔を隔てて対向配置されている。
【００３７】
ｆθレンズ３５は、ｆθ特性を有するレンズであり、左右方向に延びる略平板形状に形成され、ケーシング３１の前後方向略中央において、ポリゴンミラー６１と対向するように、偏向器３４の後側に配置されている。ｆθレンズ３５の後端面は、左右方向略中央が後側に向かって膨出するように、所定の曲率を有する略円弧形状に形成されている。ｆθレンズ３５の前端面は、左右方向略中央が後側に向かって凹むように、後端面より低い曲率を有する略円弧形状に形成されている。
【００３８】
ミラー３６は、左右方向に延びる略平板形状に形成され、ケーシング３１の後端部において、ｆθレンズ３５と対向するように、出射口４４の後側周縁部に配置されている。また、ミラー３６は、前面が鏡面となっており、前面が出射口４４に対向するように、後方へ向かうに従って下方へ向かうように傾斜されている。
【００３９】
第２シリンドリカルレンズ３７は、左右方向に延びる略平板形状に形成され、出射口４４内において、ミラー３６に対向するように設けられている。第２シリンドリカルレンズ３７は、副走査方向にのみ屈折力を有している。
（２）ケーシングの詳細
（２−１）光源、第１シリンドリカルレンズおよび偏向器の固定に関する構成
ケーシング３１内には、光源３２を固定するための２つの第１固定部の一例としての光源固定部４１と、第１シリンドリカルレンズ３３を固定するための第１シリンドリカルレンズ固定部４２と、偏向器３４を固定するための４つの第２固定部の一例としての偏向器固定部４３とが設けられている。
【００４０】
各光源固定部４１は、ケーシング３１の右端部の前後方向略中央において、光源ホルダ５３の各挿通穴（図示せず）に対応するように、前後方向に互いに間隔を隔てて配置されている。各光源固定部４１は、ケーシング３１の下壁４０から上下に突出するように延びる略円柱形状に形成され（図３参照）、その径方向略中央には、上端面から下側へ向かってねじ穴（図示せず）が形成されている。
【００４１】
各光源固定部４１には、光源ホルダ５３の各挿通穴（図示せず）に挿通された光源固定ねじ５４が螺合されることにより、光源３２の光源ホルダ５３が固定されている。
【００４２】
第１シリンドリカルレンズ固定部４２は、前側の光源固定部４１の左側に配置され、前後方向に延びる平面視略矩形枠形状に形成されている。なお、第１シリンドリカルレンズ固定部４２の左右両側壁は、レーザビームＬが通過する部分において切欠かれている。
【００４３】
第１シリンドリカルレンズ固定部４２には、第１シリンドリカルレンズ３３が、内嵌され固定されている。
【００４４】
各偏向器固定部４３は、ケーシング３１の左側前端部において、モータベースプレート６３の各挿通穴（図示せず）に対応するように、前後方向に互いに間隔を隔てるように、左右２列で並列配置されている。各偏向器固定部４３は、ケーシング３１の下壁４０から上下に突出するように延びる略円柱形状に形成され（図３参照）、その径方向略中央には、上端面から下側へ向かってねじ穴（図示せず）が形成されている。
【００４５】
各偏向器固定部４３には、モータベースプレート６３の各挿通穴（図示せず）に挿通された偏向器固定ねじ６６が螺合されることにより、偏向器３４のモータベースプレート６３が固定されている。
（２−２）ケーシングの補強に関する構成
ケーシング３１内には、補強部の一例としての、第１リブ４５および第２リブ４６が設けられている。
【００４６】
第１リブ４５は、ケーシング３１の下壁４０から上側へ突出し、屈曲されながら左右方向に延びる突条であり、光源３２からポリゴンミラー６１へ向かうレーザビームＬに沿うように、レーザビームＬの光路の後側において、ポリゴンミラー６１とｆθレンズ３５との間に配置されている。
【００４７】
詳しくは、第１リブ４５は、第１部分４５Ａ、第２部分４５Ｂおよび第３部分４５Ｃを一体的に備えている。
【００４８】
第１部分４５Ａは、後側の光源固定部４１と、第１シリンドリカルレンズ固定部４２の後端部とを連続的に接続している。詳しくは、第１部分４５Ａは、後側の光源固定部４１から左前側に延び、カップリングレンズ５２の左側において左側に屈曲されて、さらに左前側に延び、第１シリンドリカルレンズ固定部４２の後端部に接続されている。
【００４９】
第２部分４５Ｂは、第１シリンドリカルレンズ固定部４２の後端部と、各偏向器固定部４３のうちの左後側の偏向器固定部４３とを連続的に接続している。詳しくは、第２部分４５Ｂは、レーザビームＬの走査範囲における左右方向中央を通過するレーザビームＬに対して、９０°未満の角度で傾斜するように、右後側と左前側とを結ぶ方向に延びる略直線形状に形成されている。また、第２部分４５Ｂは、ポリゴンミラー６１と前後方向に対向する左側半分において、レーザビームＬと干渉しないように、上端縁から下方に向かって切欠かれている。
【００５０】
第３部分４５Ｃは、各偏向器固定部４３のうちの左後側の偏向器固定部４３と、ケーシング３１の左側の側壁３９とを連続的に接続するように、左右方向に延びる略直線形状に形成されている。
【００５１】
第２リブ４６は、ケーシング３１の下壁４０から上側へ突出し、屈曲されながら左右方向に延びる突条であり、光源３２からポリゴンミラー６１へ向かうレーザビームＬに沿うように、レーザビームＬの光路の前側において、第１リブ４５に間隔を隔てて配置されている。つまり、第１リブ４５と第２リブ４６とは、上下方向に投影したときに、第１シリンドリカルレンズ３３からポリゴンミラー６１へ向かうレーザビームＬを前後方向から挟むように配置されている。
【００５２】
詳しくは、第２リブ４６は、第１部分４６Ａ、第２部分４６Ｂおよび第３部分４６Ｃを一体的に備えている。
【００５３】
第１部分４６Ａは、前側の光源固定部４１と、第１シリンドリカルレンズ固定部４２の前端部とを連続的に接続している。詳しくは、第１部分４６Ａは、前側の光源固定部４１から左後側に延び、カップリングレンズ５２の左前側において左側に屈曲されて、さらに左下側に延び、第１シリンドリカルレンズ固定部４２の前端部に接続されている。
【００５４】
第２部分４６Ｂは、第１シリンドリカルレンズ固定部４２の前端部と、各偏向器固定部４３のうちの左前側の偏向器固定部４３（すなわち、第１シリンドリカルレンズ固定部４２から最も離れて配置される偏向器固定部４３）とを連続的に接続している。詳しくは、第２リブ４６の第１部分４６Ａは、レーザビームＬの走査範囲における左右方向中央を通過するレーザビームＬに対して、９０°未満の角度で傾斜するように、右後側と左前側とを結ぶ方向に延びる略直線形状に形成されている。また、第２リブ４６の第１部分４６Ａの左側半分は、上下方向に投影したときに、ポリゴンミラー６１の前端部を左右方向に横切るように延びており、ポリゴンミラー６１と干渉しないように、上端縁から下方に向かって切欠かれている（図３参照）。
【００５５】
第３部分４６Ｃは、各偏向器固定部４３のうちの左前側の偏向器固定部４３と、ケーシング３１の左側の側壁３９とを連続的に接続するように、左右方向に延びる略直線形状に形成されている。
【００５６】
さらに、ケーシング３１内には、各光源固定部４１と、ケーシング３１の右側の側壁３９とをそれぞれ接続する２つの光源補強リブ４８が設けられている。
【００５７】
詳しくは、ケーシング３１内には、光源３２の後側に間隔を隔てて配置され、ケーシング３１の右側の側壁３９から連続して左側へ延びる光源部後方側板４９と、光源３２の前側に間隔を隔てて配置され、ケーシング３１の右側の側壁３９から連続して左側へ延びる光源部前方側板５０とが形成されている。
【００５８】
そして、前側の光源補強リブ４８は、前側の光源固定部４１と光源部前方側板５０とを連続的に接続するように、前後方向に延びる略直線形状に形成されている。つまり、前側の光源補強リブ４８は、光源部前方側板５０を介して、ケーシング３１の右側の側壁３９に接続されている。
【００５９】
また、後側の光源補強リブ４８は、後側の光源固定部４１と光源部後方側板４９とを連続的に接続するように、前後方向に延びる略直線形状に形成されている。つまり、後側の光源補強リブ４８は、光源部後方側板４９を介して、ケーシング３１の右側の側壁３９に接続されている。
（３）スキャナユニットの動作
スキャナユニット９が動作されると、まず、偏向器３４のモータ６２が駆動され、ポリゴンミラー６１が高速で回転される。
【００６０】
次いで、回転駆動しているポリゴンミラー６１に向かって、光源３２からレーザビームＬが出射される。
【００６１】
光源３２から出射されたレーザビームＬは、第１シリンドリカルレンズ３３を通過するときに、副走査方向に収束され、回転駆動しているポリゴンミラー６１に入射される。
【００６２】
すると、レーザビームＬは、ポリゴンミラー６１の鏡面６４に反射されることによって等角運動するように偏向され、主走査方向に走査される。
【００６３】
ポリゴンミラー６１によって走査されたレーザビームＬは、ｆθレンズ３５を通過するときに等速度走査に変換され、その後、ミラー３６で反射された後、第２シリンドリカルレンズ３７を通過して、感光ドラム１４の表面に照射される。
３．作用効果
（１）このスキャナユニット９によれば、図２に示すように、ケーシング３１の下壁４０に設けられる光源固定部４１と、ケーシング３１の下壁４０に設けられる偏向器固定部４３とを連続的に接続するように、ケーシング３１の下壁４０に、レーザビームＬの出射方向（左前側）に向かって延びる第１リブ４５、第２リブ４６を設けている。
【００６４】
そのため、光源３２と偏向器３４との間の下壁４０を、レーザビームＬの出射方向に向かって延びる第１リブ４５、第２リブ４６で連続的に接続し、補強することができる。
【００６５】
その結果、偏向器３４のポリゴンミラー６１の回転に起因する振動により、光源３２と、偏向器３４のポリゴンミラー６１との相対的な位置変化を生じさせる共振を抑制することができ、ひいては、印刷画像の画質の低下を抑制することができる。
（２）このスキャナユニット９によれば、図２に示すように、第１リブ４５および第２リブ４６は、レーザビームＬの走査範囲における左右方向中央を通過するレーザビームＬに対して、９０°未満の角度で傾斜するように延びている。
【００６６】
そのため、光源部（光源３２および第１シリンドリカルレンズ３３）から左前側に傾斜するように出射されるレーザビームＬに、第１リブ４５および第２リブ４６を沿わせることができる。
【００６７】
その結果、ケーシング３１の下壁４０を、レーザビームＬの出射方向において、より補強することができる。
（３）このスキャナユニット９によれば、図２に示すように、第２リブ４６は、光源固定部４１から最も離れて配置される左前側の偏向器固定部４３と、光源固定部４１とを連続的に接続している。
【００６８】
そのため、第２リブ４６を左右方向に長く形成することができ、ケーシング３１の下壁４０を、より補強することができる。
（４）このスキャナユニット９によれば、図２に示すように、第１リブ４５および第２リブ４６は、偏向器固定部４３と、ケーシング３１の左側の側壁３９とを連続的に接続している。
【００６９】
そのため、第１リブ４５および第２リブ４６によって、ケーシング３１の下壁４０と、左側の側壁３９とを連結することができる。
【００７０】
その結果、偏向器３４のポリゴンミラー６１の回転に起因する振動により、光源３２と、偏向器３４のポリゴンミラー６１との相対的な位置変化を生じさせる共振を抑制することができる。
（５）このスキャナユニット９によれば、図２に示すように、上下方向に投影したときに、第２リブ４６は、ポリゴンミラー６１を左右方向に横切るように延びている。
【００７１】
そのため、上下方向に投影したときにポリゴンミラー６１と重なる位置において、ケーシング３１の下壁４０を補強することができる。
【００７２】
その結果、ポリゴンミラー６１と光源３２との相対的な位置変化を生じさせる共振をより抑制することができる。
（６）このスキャナユニット９によれば、図２に示すように、上下方向に投影したときに、第１リブ４５と第２リブ４６とは、光源３２からポリゴンミラー６１へ向かうレーザビームＬを前後方向から挟むように、光源固定部４１と、左後側および左前側の偏向器固定部４３とを、それぞれ連続的に接続している。
【００７３】
そのため、レーザビームＬの光路の前後両側において、ケーシング３１の下壁４０を補強することができる。
【００７４】
その結果、ケーシング３１の下壁４０を、レーザビームＬの出射方向において、より一層補強することができる。
（７）このスキャナユニット９によれば、図３に示すように、ポリゴンミラー６１は、モータベースプレート６３の下側に設けられている。つまり、モータベースプレート６３は、ポリゴンミラー６１を挟むように、ケーシング３１の下壁４０の上側に設けられている。
【００７５】
そのため、第１リブ４５および第２リブ４６の上下方向長さを利用して、偏向器３４を配置することができる。
【００７６】
その結果、第１リブ４５および第２リブ４６を形成した場合に、スキャナユニット９が大型化することを抑制することができる。
（８）このスキャナユニット９によれば、図２に示すように、光源部（光源３２および第１シリンドリカルレンズ３３）の光源３２は、レーザビームＬを出射する半導体レーザ５１と、半導体レーザ５１からのレーザビームＬを平行な光束に変換するカップリングレンズ５２とを備えている。
【００７７】
そのため、第１リブ４５および第２リブ４６は、半導体レーザ５１およびカップリングレンズ５２と、偏向器３４との間において、ケーシング３１の下壁４０を補強することができる。
【００７８】
その結果、偏向器３４のポリゴンミラー６１の回転に起因する振動により、光源３２と、偏向器３４のポリゴンミラー６１との相対的な位置変化を生じさせる共振を抑制することができる。
（９）このスキャナユニット９によれば、図３に示すように、第１リブ４５および第２リブ４６は、ケーシング３１の下壁４０から上側へ延びる突条である。
【００７９】
そのため、簡易な構成で、ケーシング３１の下壁４０を補強することができる。
（１０）このスキャナユニット９によれば、図３に示すように、各偏向器固定部４３は、ケーシング３１の下壁４０から上下に延びており、モータベースプレート６３は、各偏向器固定部４３に対してねじ止めされている。
【００８０】
そのため、簡易な構成で、確実に、モータベースプレート６３を各偏向器固定部４３に固定することができる。
（１１）このスキャナユニット９によれば、図２に示すように、ケーシング３１内には、光源３２と第１シリンドリカルレンズ３３との間の下壁４０を補強する、第１リブ４５の第１部分４５Ａ、および、第２リブ４６の第１部分４６Ａが設けられている。
【００８１】
そのため、偏向器３４のポリゴンミラー６１の回転に起因する振動により、光源３２と、偏向器３４のポリゴンミラー６１との相対的な位置変化を生じさせる共振をより抑制することができる。
【００８２】
その結果、印刷画像の画質の低下をより抑制することができる。
４．各実施形態
（１）第２実施形態から第８実施形態について
図４を参照しながら、第２実施形態から第８実施形態について説明する。なお、図４は、図２における要部のみを示しており、第２実施形態から第８実施形態において、第１実施形態と同様の部材には同様の符号を付し、その説明を省略する。
【００８３】
上記した第１実施形態では、ケーシング３１に、光源固定部４１と、左後側の偏向器固定部４３とを接続する第１リブ４５、および、光源固定部４１と、左前側の偏向器固定部４３とを接続する第２リブ４６を設け、さらに、第１リブ４５および第２リブ４６を側壁３９に接続している。
【００８４】
しかし、第２実施形態では、図４（ａ）に示すように、第１実施形態において、第１リブ４５を第１部分４５Ａおよび第２部分４５Ｂから形成するとともに、第２リブ４６を第１部分４６Ａおよび第２部分４６Ｂから形成する。つまり、第２実施形態では、第１実施形態において、第１リブ４５および第２リブ４６を側壁３９に接続しない。
【００８５】
また、第３実施形態では、図４（ｂ）に示すように、第２実施形態において、左後側の偏向器固定部４３と、左前側の偏向器固定部４３とを連続的に接続する補強部の一例としての第３リブ８１を設ける。第３リブ８１は、ケーシング３１の下壁４０から上側へ突出する平面視略直線形状の突条である。
【００８６】
また、第４実施形態では、図４（ｃ）に示すように、第２実施形態において、第２リブ４６のみ設ける。
【００８７】
また、第５実施形態では、図４（ｄ）に示すように、第２リブ４６を、光源固定部４１と、右後側の偏向器固定部４３とを接続するように構成し、第３リブ８１を、左後側および左前側の偏向器固定部４３、左前側および右前側の偏向器固定部４３、右前側および右後側の偏向器固定部４３、右後側および左後側の偏向器固定部４３をそれぞれ接続するように構成する。
【００８８】
また、第６実施形態では、図４（ｅ）に示すように、第５実施形態において、第３リブ８１を、左後側および左前側の偏向器固定部４３、右後側および左後側の偏向器固定部４３をそれぞれ接続するように構成する。
【００８９】
また、第７実施形態では、図４（ｆ）に示すように、第５実施形態において、第３リブ８１を、右後側および左後側の偏向器固定部４３を接続するように構成する。
【００９０】
また、第８実施形態では、図４（ｇ）に示すように、第５実施形態において、第２リブ４６のみ設ける。
【００９１】
第３実施形態、および、第５実施形態から第７実施形態によれば、図４（ｂ）、（ｄ）〜（ｆ）に示すように、第３リブ８１は、少なくとも２つの偏向器固定部４３を連続的に接続している。
【００９２】
そのため、互いに接続された偏向器固定部４３の振動を抑制することができ、偏向器３４自体の振動を抑制することができる。
【００９３】
その結果、偏向器３４のポリゴンミラー６１の回転に起因する振動により、光源３２と、偏向器３４のポリゴンミラー６１との相対的な位置変化を生じさせる共振を抑制することができる。
【００９４】
第５実施形態から第８実施形態によれば、図４（ｄ）〜（ｇ）に示すように、第２リブ４６は、右後側の偏向器固定部４３（ポリゴンミラー６１のレーザビームＬが反射される鏡面６４に最も近接して配置される偏向器固定部４３）と、光源固定部４１とを連続的に接続している。
【００９５】
そのため、ポリゴンミラー６１のレーザビームＬが反射される鏡面６４と、光源３２との間において、ケーシング３１の下壁４０を補強することができる。
【００９６】
その結果、偏向器３４のポリゴンミラー６１の回転に起因する振動により、光源３２と、偏向器３４のポリゴンミラー６１との相対的な位置変化を生じさせる共振をより抑制することができる。
【００９７】
また、これらの各実施形態においても上記した第１実施形態と同様の作用効果を得ることができる。
（２）第９実施形態について
図５および図６を参照しながら、第９実施形態について説明する。なお、第９実施形態において、第１実施形態と同様の部材には同様の符号を付し、その説明を省略する。
【００９８】
上記した第１実施形態では、第１リブ４５および第２リブ４６を、ケーシング３１の下壁４０から上側へ突出するように設けたが、第９実施形態では、図５および図６に示すように、第１リブ７１および第２リブ７２を、ケーシング３１の下壁４０から下側へ突出するように設ける。
【００９９】
第１リブ７１は、ケーシング３１の下壁４０から下側へ突出し、左右方向に延びる平面視略直線形状の突条であり、第１左側リブ７１Ａと第１右側リブ７１Ｂとを一体的に備えている。
【０１００】
第１左側リブ７１Ａは、第１シリンドリカルレンズ固定部４２の下側の下壁４０と、各偏向器固定部４３のうちの左後側の偏向器固定部４３の下側へ突出している部分とを連続的に接続している。
【０１０１】
第１右側リブ７１Ｂは、第１シリンドリカルレンズ固定部４２の下側の下壁４０と、後側の光源固定部４１の下側へ突出している部分とを連続的に接続している。
【０１０２】
第２リブ７２は、ケーシング３１の下壁４０から下側へ突出し、左右方向に延びる平面視略直線形状の突条であり、第２左側リブ７２Ａと第２右側リブ７２Ｂとを一体的に備えている。
【０１０３】
第２左側リブ７２Ａは、第１シリンドリカルレンズ固定部４２の下側の下壁４０と、各偏向器固定部４３のうちの左前側の偏向器固定部４３の下側へ突出している部分とを連続的に接続している。
【０１０４】
第２右側リブ７２Ｂは、第１シリンドリカルレンズ固定部４２の下側の下壁４０と、前側の光源固定部４１の下側へ突出している部分とを連続的に接続している。
【０１０５】
第９実施形態によれば、第１リブ７１および第２リブ７２を、ケーシング３１の下壁４０から下側へ突出するように、偏向器３４が固定される下壁４０の上面と反対側の面（下面）に設けることができる。
【０１０６】
そのため、偏向器３４が固定されるケーシング３１内の構成の簡略化、ひいてはレイアウトの自由化を図りながら、ケーシング３１の下壁４０を補強することができる。
【０１０７】
また、第９実施形態においても上記した第１実施形態と同様の作用効果を得ることができる。
【実施例】
【０１０８】
上記した各実施形態および下記の各比較例について、振動解析を実施した。
１．各比較例
（１）比較例１
図７（ａ）に示すように、ケーシング３１の平面視略中央に、各光源固定部４１および各偏向器固定部４３のいずれにも連続されないリブ９１を設けた。
（２）比較例２
図７（ｂ）に示すように、第５実施形態において、第３リブ８１のみ設けた。
（３）比較例３
図７（ｃ）に示すように、レーザビームＬの走査範囲における左右方向中央を通過するレーザビームＬに対して、９０°未満の角度の範囲内にリブを設けなかった（すなわち、実質的に、ケーシング３１を補強するリブを設けなかった。）。
２．振動解析
（１）解析ソルバ
ＬＳ−ＤＹＮＡ  Ｒ４．２．１
（２）解法
陰解法  固有値解析
（３）ケーシングの材料特性
ヤング率：４３８０ＭＰａ
密度：１．０ｇ／ｃｍ３
（４）上記した条件で、光源３２と偏向器３４とが相対的な位置変化を起こす共振モード（共振モード（１）、共振モード（２））における固有振動数を解析した。結果を、下記表１に示す。なお、固有振動数の値がより大きい方が、ケーシングが高剛性である。
【０１０９】
【表１】
0005821232.tif 000002
【符号の説明】
【０１１０】
９      スキャナユニット
３１    ケーシング
３２    光源
３３    第１シリンドリカルレンズ
３４    偏向器
３９    側壁
４０    下壁
４２    第１シリンドリカルレンズ固定部
４３    偏向器固定部
４５    第１リブ
４６    第２リブ
５１    半導体レーザ
５２    カップリングレンズ
６１    ポリゴンミラー
６２    モータ
６３    モータ基板
６４    鏡面
７１    第１リブ
７２    第２リブ
８１    第３リブ
【図１】
0005821232.tif 000003
【図２】
0005821232.tif 000004
【図３】
0005821232.tif 000005
【図４】
0005821232.tif 000006
【図５】
0005821232.tif 000007
【図６】
0005821232.tif 000008
【図７】
0005821232.tif 000009